(57)【要約】【課題】過酸化水素に耐性を有するオベリア類に対し、少量の過酸化水素の添加で効率よくその付着を防止する方法を提供することを課題とする。【解決手段】冷却用海水系に過酸化水素または過酸化水素発生剤を添加して、冷却用海水系におけるオベリア類の付着を防止するにあたり、過酸化水素を含む冷却用海水系の流路の少なくとも一部に磁界を印加することを特徴とするオベリア類の付着防止方法により、上記の課題を解決する。【選択図】　なし【特許請求の範囲】
【請求項１】
冷却用海水系に過酸化水素または過酸化水素発生剤を添加して、冷却用海水系におけるオベリア類の付着を防止するにあたり、過酸化水素を含む冷却用海水系の流路の少なくとも一部に磁界を印加することを特徴とするオベリア類の付着防止方法。
【請求項２】
磁界の印加が、過酸化水素を含む冷却用海水系の流路の少なくとも一部に捲回したコイルに交流電流を通電することによって行われる請求項１に記載のオベリア類の付着防止方法。
【請求項３】
冷却用海水に対し、過酸化水素または過酸化水素発生剤を過酸化水素として０．１〜２ｍｇ／リットルとなるように添加する請求項１または２に記載のオベリア類の付着防止方法。
【発明の詳細な説明】
【０００１】
【発明の属する技術分野】
この発明は、オベリア類の付着防止方法に関する。さらに詳しくは、この発明は、冷却用海水系におけるオベリア類の付着を効率的に防止するにあたり、過酸化水素を添加し、かつ冷却用海水系の流路の少なくとも一部に磁界を印加する方法に関する。
【０００２】
【従来の技術】
冷却水として海水を使用する発電所、製鉄所、石油化学プラントなどは、波浪などを避けるために、内海や湾内に面した所に多く建設されている。内海や湾内において海水を取水すると、海水中に生息するムラサキイガイ、フジツボ、コケムシ、ヒドロムシなどの海生生物が、海水取水路、配管や導水路、熱交換器や復水路などの内壁に付着する。これらの付着した海生生物は、成長して通水路を狭め、さらに内壁などの付着部から脱落し、配管や熱交換器内の通水を阻害して冷却効率を低下させたりする。また、局部的な乱流や酸素濃淡電池を生じて金属の腐食障害などの様々な問題を引き起こす。
【０００３】
これらの付着生物は、自然界において付着基盤を争奪しながら共生しており、ムラサキイガイやフジツボはその繁殖力が強く、上記のような付着の問題を起こし易い。そこで、これらの付着を防止あるいは抑制すると、これらに代わって別の付着生物が繁殖する。その代表的な付着生物がヒドロムシ類であり、中でもクダウミヒドラ科（腔腸動物無鞘類）のクダウミヒドラ類の付着障害が問題になっている。
【０００４】
他方、近年の地球温暖化に伴い、熱帯や亜熱帯を原産地とする二枚貝類のミドリイガイ、イガイダマシなどが、上記の気候帯以外にある工業地帯の沿岸域にも繁殖、定住し、その被害が報告されている。同時に、従来は日本近海の黒潮暖流の影響海域などにある養殖場や定置網漁場などでしか見られなかったウミサカズキガヤ科（腔腸動物有鞘類）のオベリア類が工業地帯の沿岸域にも発生し、前述のクダウミヒドラ類と共にその付着障害が問題になっている。
【０００５】
一般に、腔腸動物有鞘類は触手を包む鞘を持つことから、鞘を持たない腔腸動物無鞘類と比較して従来の酸化剤や殺菌剤などの影響を受けにくく、過酸化水素の通常的な使用方法では駆除することが困難である。
従来から、海生生物の付着を防止するための薬品としては、次亜塩素酸ナトリウム、二酸化塩素、塩素ガスなどの塩素発生剤などが採用されてきた。塩素発生剤によって海生生物の付着を防止するには、海水中の残留塩素濃度を常に０．１〜０．３ｍｇ／リットルに保つ必要がある。そのために常にトリハロメタンや有機塩素化合物類の生成が危惧され、環境上好ましくない。
【０００６】
そこで、安全性の高い薬剤として、過酸化水素や過酸化水素発生剤（過酸化水素供給化合物）を使用する海生生物の付着防止方法が提案され（特公昭６１−２４３９号公報、特開平６−３４７１９４号公報および特開平８−２４８７０号公報参照）、実用化されている。過酸化水素はそれ自体毒性が低く、分解すると酸素ガスと水になるので、残留毒や蓄積毒による環境汚染をもたらす心配はない。
【０００７】
しかしながら、過酸化水素や過酸化水素発生剤の海生生物に対する付着防止効果は緩和であるため、全ての付着生物による障害を防止するためには、有効濃度の上限値で連続使用する必要がある。したがって、海水使用量の多い冷却水系統においては薬剤の使用量が多くなり、その経済的負担が大きくなるため、使用量の低減が望まれている。
【０００８】
また、薬剤の添加以外に、対象海水系に磁界を発生させて海生生物などの付着を防止する方法も提案されている。
例えば、特開２００１−２５９６９１号公報には、カチオン系薬剤を除いた流体流路を流れる流体を変調電場処理して、流体流路を構成する壁面の錆び、スケール、その他の成分の付着を防止または除去する方法が開示されている。
また、特開平１１−２９１９８０号公報には、可変電磁界を印加して流水中にイオン化した微粒子を発生させ、この微粒子を含む流体により船体の両舷や船底への海生生物の付着を防止する方法が開示されている。
しかしながら、上記の公報には、オベリア類という特定の海生生物の付着防止についての記載はなく、過酸化水素という特定の薬剤の添加についての記載もない。
【０００９】
【発明が解決しょうとする課題】
この発明は、過酸化水素に耐性を有するオベリア類に対し、少量の過酸化水素の添加で効率よくその付着を防止する方法を提供することを課題とする。
【００１０】
【課題を解決するための手段】
この発明の発明者らは、上記のような現状と認識に鑑み、オベリア類の付着を防止するための方法を検討した結果、過酸化水素を含む冷却用海水系に、磁界を印加することにより、低濃度の過酸化水素の添加であっても、オベリア類の付着を効率的に防止できることを見出し、この発明を完成するに到った。
【００１１】
かくして、この発明によれば、冷却用海水系に過酸化水素または過酸化水素発生剤を添加して、冷却用海水系におけるオベリア類の付着を防止するにあたり、過酸化水素を含む冷却用海水系の流路の少なくとも一部に磁界を印加することを特徴とするオベリア類の付着防止方法が提供される。
【００１２】
【発明の実施の形態】
この発明の方法の対象となる冷却用海水系としては、例えば、発電所、製鉄所、石油化学プラントなどの冷却水系が挙げられる。これらの冷却水系は、一過式、循環式の何れであってもよい
【００１３】
この発明で使用する過酸化水素としては、通常、工業用として市販されている濃度３〜６０％の過酸化水素水溶液が挙げられる。
また、過酸化水素発生剤としては、過酸化水素を水中で放出しうる過ホウ酸、過炭酸、ペルオキシ硫酸などの無機過酸、過酢酸のような有機過酸およびこれらの塩類が挙げられる。これらの塩類としては、過ホウ酸ナトリウム、過炭酸ナトリウムなどが挙げられる。
これらを冷却用海水系に添加するにあたっては、所望の濃度になるように過酸化水素および過酸化水素発生剤を海水や淡水で適宜希釈または溶解して用いてもよい。
【００１４】
また、海水を含む用水中で発生させた過酸化水素を用いることもできる。過酸化水素を用水中で発生させる方法としては、水またはアルカリ溶液の電気化学的分解、紫外線や放射線などの高エネルギー線を水に照射する方法あるいは水生の生物［例えば、Ｐｏｅｃｉｌｌｉａ　ｖｅｌｌｉｆｅｒｅ（メダカ目カダヤシ科）］による代謝などの方法が挙げられる。
【００１５】
この発明のオベリア類の付着防止方法は、冷却用海水系に過酸化水素または過酸化水素発生剤を添加して、冷却用海水系におけるオベリア類の付着を防止するにあたり、過酸化水素を含む冷却用海水系の流路の少なくとも一部に磁界を印加することを特徴とする。
すなわち、この発明のオベリア類の付着防止方法は、冷却用海水系に過酸化水素または過酸化水素発生剤を添加する工程と、過酸化水素を含む冷却用海水系の流路の少なくとも一部に磁界を印加する工程とからなる。
【００１６】
この発明のオベリア類の付着防止方法においては、冷却用海水に対し、過酸化水素または過酸化水素発生剤を過酸化水素として０．１〜２ｍｇ／リットル、好ましくは０．１５〜１．８ｍｇ／リットルとなるように添加するのが好ましい。
【００１７】
過酸化水素または過酸化水素発生剤の添加濃度が過酸化水素として０．１ｍｇ／ｌ未満の場合には、オベリア類の付着および成長の防止効果が不充分となるので好ましくない。また、過酸化水素または過酸化水素発生剤の添加濃度が２ｍｇ／ｌを超える場合には、それに見合うだけのオベリア類の付着および成長の防止効果が得られず、また経済的でないので好ましくない。
【００１８】
この発明における過酸化水素または過酸化水素発生剤の添加場所は、冷却用海水系における取水路、熱交換器または復水器に付帯する配管中や導水路、熱交換器または復水器の入口など、いずれであってもよく、中でも冷却用海水系全体のオベリア類の付着および成長を防止するためには、取水路の先端が好ましい。
【００１９】
この発明によれば、上記のように過酸化水素または過酸化水素発生剤の添加によって、過酸化水素を含んだ冷却用海水系の流路の少なくとも一部に磁界を印加する。
磁界を印加する方法（以下、「磁気処理」と称する）としては、冷却用海水系の流路の少なくとも一部に捲回したコイルに交流電流を通電するのが好ましい。
【００２０】
磁気処理の他の形態としては、冷却用海水系の流路を横切る方向に、対向する少なくとも一対の電極あるいは電磁石を配設し、電極あるいは電磁石に通電する方法、および冷却用海水系の流路に磁界が印加されるように公知の永久磁石や磁力発生装置を配設する方法が挙げられる。
上記のコイル、電極、電磁石、永久磁石および磁力発生装置は、冷却用海水系の海水と接するように配設されてもよいし、海水と接しないように配設されてもよい。
【００２１】
磁界の強度は、過酸化水素または過酸化水素発生剤の添加量や付着生物の付着時期などに応じて、適宜設定すればよい。
【００２２】
また、過酸化水素を含む冷却用海水に対し、磁界を連続的に印加するのが好ましいが、間欠的であってもよい。この場合、１日当たりの印加時間は、オベリア類の付着と成長の防止効果の観点から、１８時間以上が好ましい。
【００２３】
この発明によれば、過酸化水素または過酸化水素発生剤の添加量が低く抑えられ、環境面でも優れた冷却用海水系の処理方法が提供される。すなわち、この発明によれば、オベリア類のみならず、ムラサキイガイ、ミドリイガイなどの二枚貝類、クダウミヒドラなどのヒドロムシ類、コケムシおよびカンザシゴカイ類など、海生生物の冷却用海水系統の器壁への付着および成長を防止することができる。
【００２４】
この発明の作用機構は明らかではないが、磁界の印加によって冷却用海水系中の過酸化水素の活性が高められ、これによりオベリア類の付着防止効果が向上するものと考えられる。
海藻類の中には、アオサ類のように体内で過酸化水素を生成し、体表に他の付着生物が付着するのを防止しているという報告もあるが、刺胞動物のような下等動物に対する研究は少なく、オベリア類に対する研究は皆無であった。このような過酸化水素に耐性を有するオベリア類に対して、過酸化水素の添加と磁界の印加を組み合わせることによりその付着が防止できたことは、意外な事実である。また、この発明の方法は、それ自体毒性が低く、分解すると酸素ガスと水になる過酸化水素を用いるので、残留毒や蓄積毒による環境汚染をもたらす心配はなく、環境面でも好ましい。
【００２５】
【実施例】
この発明を試験例により具体的に説明するが、この発明はこれらの試験例により限定されるものではない。
【００２６】
試験例
下記の試験を行い、過酸化水素の添加と磁気処理装置を用いた磁界の印加による海生生物の付着防止効果を確認した。
某製鉄所の海水取水路より水中ポンプで揚水した海水を、図１に示すような５系路に分岐した、塩化ビニル製パイプ（内径６５ｍｍ×長さ１ｍ）からなるモデル水路（Ｎｏ．１〜５）のそれぞれに、流量が１．５ｍ３／ｈになるように一過式に通水した。
また、各モデル水路には、塩化ビニル製の付着生物調査用カラム（内径６２ｍｍ×長さ４５０ｍｍ×厚さ１．５ｍｍ、表面積８８０ｃｍ２）を、カラムの長尺方向と水流とが平行になるように設置した。
【００２７】
表１に示す条件で各モデル水路に過酸化水素の添加および／または磁気処理装置を用いた磁界の印加を行った。
具体的には、モデル水路（Ｎｏ．１〜３）には、過酸化水素（３５％水溶液）を所定濃度になるように純水で希釈して定量ポンプで注入した。なお、モデル水路（Ｎｏ．４〜５）には、過酸化水素を添加しなかった。
【００２８】
また、モデル水路（Ｎｏ．１および４）には、磁気処理装置（エスケーエイ株式会社製、商品名：Ｓｃａ１ｅＷａｔｃｈｅｒ（スケールウォッチャー）、型式：ＰＤＳ−Ｌ０１）を用いて、磁界を印加した。
具体的には、モデル水路の塩化ビニル製パイプに導線（合成ゴムライニング銅製、直径８ｍｍ）を巻回数１１で巻き付けてコイルを形成し、導線の両端を磁気処理装置の電源回路部に接続した。電源回路部は、７００〜３０００Ｈｚの帯域で周波数が時間的に変化する方形波の交流電流をコイルに供給できるように構成されている。この試験では、１０００Ｈｚ付近の帯域で周波数が時間的に変化する方形波の交流電流（最大出力２０Ａ）をコイルに供給して、コイル内、すなわちモデル水路の内部に磁界を形成し、モデル水路を通過する海水に磁界を印加した。なお、モデル水路（Ｎｏ．２、３および５）には、磁界を印加しなかった。
【００２９】
以上の条件で各モデル水路に過酸化水素の添加および／または磁気処理装置を用いた磁界の印加を行いながら、海水を１ヶ月間通水した。
試験開始から１ヶ月後に、付着生物調査用カラムをモデル水路から取り出し、付着生物種の同定と計数を行った。
オベリア類およびクダウミヒドラ類については、付着生物調査用カラムの表面の被覆率（％）を求め、ムラサキイガイおよびフジツボについては、付着生物調査用カラムに付着した、殻長または基底長径が２ｍｍ以上の個体数を計数した。得られた結果を、過酸化水素の添加と磁界の印加（磁気処理）の条件と共に表１に示す。
【００３０】
【表１】
2004081936.tif 000002
【００３１】
表１の結果から、過酸化水素の添加と磁界の印加を組み合わせることにより、海生生物、特にオベリア類に対して効果的に付着を防止できることがわかる。
すなわち、過酸化水素の添加のみのモデル水路（Ｎｏ．２および３）の場合には、オベリア類以外の海生生物の付着を防止できるものの、オベリア類に対しては効果的に付着を防止できないことがわかる。また、磁界の印加のみのモデル水路（Ｎｏ．４）の場合には、未処理のモデル水路（Ｎｏ．５）の場合と比較して、若干効果がみられるものの、測定対象の海生生物の全てに対して充分な付着防止効果が得られないことがわかる。
【００３２】
【発明の効果】
この発明によれば、酸化水素に耐性を有するオベリア類に対し、少量の過酸化水素の添加で効率よくその付着を防止する方法を提供することができる。
【図面の簡単な説明】
【図１】試験例で用いたモデル水路の概要を示す模式系統図である。
【符号の説明】
１　モデル水路Ｎｏ．１
２　モデル水路Ｎｏ．２
３　モデル水路Ｎｏ．３
４　モデル水路Ｎｏ．４
５　モデル水路Ｎｏ．５
Ｐ　水中ポンプ
【図１】
2004081936.tif 000003